(57)【要約】【課題】毛ブラシを用いた清掃と負圧を用いた清掃とを両立させた使い勝手のよい電気掃除機を提供する。【解決手段】空気を吸引して内部に負圧を発生させる掃除機本体１と、一端に吸込口が形成され他端が掃除機本体１に接続された負圧延長部５と、負圧延長部５に設けられた塵埃取り除き機構６と、を備える。塵埃取り除き機構６は、負圧延長部５の内壁から管内へ突出した複数の突起６１を備え、突起は、毛ブラシ７を突起６１に対して摺動させた場合に、毛ブラシ７に付着していた塵埃が取り除かれるように構成されている。【選択図】図１
2015150011.tif 000002
【特許請求の範囲】
【請求項１】
毛ブラシを備えた電気掃除機において、
空気を吸引して内部に負圧を発生させる掃除機本体と、
一端に吸込口が形成され他端が前記掃除機本体に連通する負圧延長部と、
前記負圧延長部に設けられた塵埃取り除き部と、を備え、
前記塵埃取り除き部は、前記負圧延長部の内壁から内部空間へ突出した複数の突起を備え、
前記突起は、前記毛ブラシを前記突起に対して摺動させた場合に前記毛ブラシに付着していた塵埃が取り除かれるように構成されて成る電気掃除機。
【請求項２】
前記突起は、前記負圧延長部の風下に向かって傾斜して突出している請求項１に記載の電気掃除機。
【請求項３】
前記毛ブラシを前記吸込口から前記負圧延長部の内部に引き込んで前記塵埃取り除き部まで移動させる移動機構を更に備える請求項１又は請求項２に記載の電気掃除機。
【請求項４】
前記移動機構は、前記塵埃取り除き部まで移動された前記毛ブラシを摺動させる手段を更に備える請求項３に記載の電気掃除機。
【請求項５】
前記塵埃取り除き部まで移動された前記毛ブラシを回転させる回転機構を更に備える請求項３又は請求項４に記載の電気掃除機。
【請求項６】
前記突起は、前記毛ブラシの回転方向に向かって傾斜して突出している請求項５に記載の電気掃除機。
【請求項７】
前記負圧延長部は、
前記吸込口から前記掃除機本体への風路を形成する負圧延長パイプと、
前記負圧延長パイプに沿ってその外壁の一部を覆うように構成されたカバーと、
前記カバーの内部から前記負圧延長パイプへ連通する開口部を開閉する開閉機構と、を含み、
前記塵埃取り除き部及び前記移動機構は、前記カバーの内部に設けられ、
前記開閉機構は、前記移動機構により前記毛ブラシが前記塵埃取り除き部まで移動された場合に前記開口部を開くように構成されて成る請求項３から請求項６の何れか１項に記載の電気掃除機。
【請求項８】
前記吸込口に設けられた吸込口体と、
前記吸込口体に設けられるとともに、清掃面に回転接触する回転ブラシと、を更に備え、
前記移動機構は、前記毛ブラシを前記回転ブラシと接触する位置に移動可能に構成され、
前記毛ブラシが前記回転ブラシに接触した状態で前記回転ブラシを回転させることにより、前記毛ブラシに付着していた塵埃が前記回転ブラシによって取り除かれる請求項３から請求項７の何れか１項に記載の電気掃除機。
【請求項９】
前記掃除機本体と、前記負圧延長部とを収納するケースを更に備え、
前記ケースは、前記吸込口が内部から接続される開口部を備え、
前記毛ブラシを前記開口部から挿入して前記突起に対して摺動させた場合に、前記毛ブラシに付着していた塵埃が前記突起によって取り除かれる請求項１に記載の電気掃除機。
【発明の詳細な説明】
【技術分野】
【０００１】
この発明は、電気掃除機に係り、塵芥を捕集するための毛ブラシを備えた電気掃除機に関する。
【背景技術】
【０００２】
従来、例えば特許文献１には、別体の静電モップ等の清掃部材が装備された電気掃除機が開示されている。より詳しくは、この電気掃除機では、掃除機本体と、ハンドルを有する棒状の枝とを備えており、当該枝が掃除機本体に対して着脱自在に構成されている。枝の先端には静電モップが装備されており、この静電モップは本体を動作させることなく狭い部分を清掃する場合等に使用される。静電モップは枝を掃除機本体に装着することにより掃除機本体内の塵埃吸引風路内に収納される。このような静電モップの収納状態で電気掃除機としての使用が行われると、モップに付着していた塵埃が集塵室に吸引されて当該静電モップがクリーニングされる。
【先行技術文献】
【特許文献】
【０００３】
【特許文献１】特開２００６−３４０８２６号公報
【特許文献２】特開２０１１−８７６６９号公報
【特許文献３】特許第４９１２２４７号公報
【発明の概要】
【発明が解決しようとする課題】
【０００４】
しかしながら、上記特許文献１の電気掃除機では、静電モップ等の毛ブラシが掃除機本体内に収納された状態において、常時毛ブラシが塵埃吸引風路内に存在することとなる。このため、上記特許文献１の電気掃除機では、圧力損失が大きくなって掃除の効率が低下してしまう。このように、静電モップ等の毛ブラシを備えた従来の電気掃除機では、毛ブラシを用いた清掃とファンモーターによる負圧を用いた清掃とを両立させる点において、未だ改善の余地を残すものであった。
【０００５】
この発明は、上述の課題を解決するためになされたもので、毛ブラシを用いた清掃と負圧を用いた清掃とを両立させた使い勝手のよい電気掃除機を提供することを目的とする。
【課題を解決するための手段】
【０００６】
この発明に係る毛ブラシを備えた電気掃除機は、空気を吸引して内部に負圧を発生させる掃除機本体と、一端に吸込口が形成され他端が掃除機本体に連通する負圧延長部と、負圧延長部に設けられた塵埃取り除き部と、を備え、塵埃取り除き部は、負圧延長部の内壁から内部空間へ突出した複数の突起を備え、突起は、毛ブラシを突起に対して摺動させた場合に毛ブラシに付着していた塵埃が取り除かれるように構成されて成るものである。
【発明の効果】
【０００７】
この発明によれば、塵埃取り除き部の突起は、毛ブラシを突起に対して摺動させた場合に、毛ブラシに付着していた塵埃を取り除くように構成されているので、毛ブラシを用いた清掃と負圧を用いた清掃とを両立させた使い勝手のよい電気掃除機を提供することが可能となる。
【図面の簡単な説明】
【０００８】
【図１】この発明の実施の形態１における電気掃除機の構成を示す図である。
【図２】実施の形態１の塵埃取り除き機構の構成及びその作用を説明するための図である。
【図３】実施の形態２の電気掃除機の塵埃取り除き機構の構成を説明するための図である。
【図４】実施の形態２の移動機構の具体的な構成及び動作を示す図である。
【図５】実施の形態２の移動機構の他の構成例を示す図である。
【図６】ウォームギヤを用いた移動機構の構成例を示す図である。
【図７】実施の形態３の電気掃除機の回転機構の構成を説明するための図である。
【図８】実施の形態３の塵埃取り除き機構の構成を示す図である。
【図９】実施の形態４の塵埃取り除き機構の構成を示す図である。
【図１０】実施の形態５における電気掃除機の構成例である。
【図１１】実施の形態６における掃除システムの構成例である。
【発明を実施するための形態】
【０００９】
以下、図面を参照してこの発明を実施するための形態について説明する。なお、各図中において、同一又は相当する部分には同一の符号を付しており、その重複説明は適宜に簡略化ないし省略する。
【００１０】
実施の形態１．
図１は、この発明の実施の形態１における電気掃除機の構成を示す図である。この図に示すように、本実施の形態の電気掃除機は、掃除機本体１と、一端が掃除機本体１に着脱自在に連結され他端に吸込口が形成された負圧延長部５とから構成されている。掃除機本体１は、吸引力を発生させるファンモーター２と、塵埃分離蓄積部３と、が内部に設けられ、外部には持ち手４が設けられている。負圧延長部５は、ファンモーター２によって発生した負圧が作用するように構成された管である。塵埃分離蓄積部３には、負圧によって負圧延長部５から吸入された塵埃が空気とともに流入する。塵埃分離蓄積部３は、流入した塵埃を空気から分離して蓄積する。また、本実施の形態の電気掃除機は、付属品としての毛ブラシ７を備えている。毛ブラシ７は、狭い箇所等の塵埃を捕集するためのものであって、使用者が直接手に持って掃除作業を行う場合、又は図示しない別の器具と接続して掃除作業を行う場合に使用されるものである。
【００１１】
本実施の形態の電気掃除機は、その特徴的構成として、負圧延長部５における吸込口近傍の内部に塵埃取り除き機構６を備えている。図２は、塵埃取り除き機構６の構成及びその作用を説明するための図である。図２に示すように、塵埃取り除き機構６は、負圧延長部５の内壁から内部空間に向かって突出する複数の突起（リブ）６１によって構成されている。また、これら複数の突起６１は、吸込口から掃除機本体１へ向かう方向（すなわち負圧延長部５の風下）に向けて傾斜して突出し、且つ千鳥状に配置されるよう形成されている。
【００１２】
本実施の形態の電気掃除機は、毛ブラシ７によって捕捉された塵埃を塵埃取り除き機構６によって離脱させ、掃除機本体１の内部に吸入させる。より詳しくは、図２中の（Ａ）に示すように、先ず、清掃作業によって塵埃が付着した毛ブラシ７を吸込口側から負圧延長部５の内部へ挿入する。そして、図２（Ｂ）に示すように、毛ブラシ７が負圧延長部５の内部の塵埃取り除き機構６まで到達すると、毛ブラシ７の摺動によって、付着していた塵埃が塵埃取り除き機構６を構成する複数の突起６１に絡まる。その後、図２（Ｃ）に示すように毛ブラシ７を負圧延長部５から引き出すと、毛ブラシ７に付着していた塵埃が突起６１によって有効に絡み採られる。突起６１に絡みついた塵埃は、電気掃除機のファンモーター２を駆動することにより、掃除機本体１の内部の塵埃分離蓄積部３へと吸入される。
【００１３】
このように、本実施の形態の電気掃除機によれば、毛ブラシ７を用いることにより騒音の発生しない清掃作業を可能とするとともに、毛ブラシ７に付着した塵埃を簡易且つ小型な構成で取り除くことが可能となる。また、毛ブラシ７と電気掃除機とが別個に構成されているので、毛ブラシ７による清掃作業とファンモーター２による負圧を用いた電気掃除機としての清掃作業とを同時に行うことができる。さらに、本実施の形態の電気掃除機によれば、電気掃除機としての清掃作業を行っている最中に、毛ブラシ７が塵埃吸引風路に配置されることはないので、圧力損失が大きくなって電気掃除機による清掃効率が低下するおそれはない。また、上述した突起６１の形状及び配置によれば、負圧延長部５内の風路を塞いで圧力損失が大きくなることを有効に抑制することができる。このように、本実施の形態の電気掃除機によれば、毛ブラシ７による清掃作業とファンモーター２による負圧を用いた清掃作業とを両立して、使い勝手のよい電気掃除機を提供することができる。
【００１４】
ところで、上述した実施の形態の電気掃除機では、負圧延長部５を傾斜した複数の突起６１で構成することとしたが、負圧延長部５の構成はこれに限られない。すなわち、毛ブラシに付着していた塵埃を絡め採ることができる構造であれば、毛ブラシ７の硬さ、塵埃取り除き機構６の構造強度及びファンモーター２の出力等を考慮した上で、突起６１の形状、配置、数量及び材質等を適宜設定すればよい。
【００１５】
また、上述した実施の形態の電気掃除機では、毛ブラシ７を負圧延長部５へ挿入する動作をより容易に行うことができるように、以下の構成を備えることとしてもよい。例えば、塵埃取り除き機構６が略上方を向いた状態で固定されるような構造を掃除機本体１に設けることとしてもよい。また、負圧延長部５を折り曲げる構造とすることによって、毛ブラシ７からの塵埃取り除き作業を容易することとしてもよい。
【００１６】
実施の形態２．
次に、本発明の実施の形態２について説明する。実施の形態２の電気掃除機は、塵埃取り除き機構６に対する毛ブラシ７の相対位置を変化させるための移動機構６２を備える点に特徴を有している。図３は、本実施の形態２の電気掃除機の塵埃取り除き機構の構成を説明するための図である。この図に示すように、移動機構６２は毛ブラシ７と連結されており、毛ブラシ７を負圧延長部５の内部の塵埃取り除き機構６まで引きこむ動作と、塵埃取り除き機構６から負圧延長部５の外部へ突出させる動作とを可能に構成されている。
【００１７】
図３に示すように、移動機構６２は、清掃作業によって塵埃が付着した毛ブラシ７を負圧延長部５の内部の塵埃取り除き機構６まで引きこむ。実施の形態１の電気掃除機と同様に、本実施の形態の塵埃取り除き機構６には複数の突起６１が形成されている。このため、毛ブラシ７が負圧延長部５の内部の塵埃取り除き機構６まで到達すると、毛ブラシ７の摺動によって付着していた塵埃が塵埃取り除き機構６を構成する複数の突起６１に絡まる。その後、移動機構６２が毛ブラシ７を負圧延長部５から外部へ突出させると、毛ブラシ７に付着していた塵埃が突起６１によって有効に絡み採られる。突起６１に絡みついた塵埃は、電気掃除機のファンモーター２を駆動することにより、掃除機本体１の内部の塵埃分離蓄積部３へと吸入される。
【００１８】
図４は、移動機構の具体的な構成及び動作を示す図である。移動機構６２は、例えば図４に示すような構成とすることができる。図４（Ａ）に示す移動機構６２では、弾性を有するポリプロピレン樹脂等で構成された弾性部材６３を備え、その先端側に毛ブラシ７が連結されている。弾性部材６３の後端側は、負圧延長部５の塵埃取り除き機構６よりも掃除機本体１側に配置された巻取り軸６６に接続されている。巻取り軸６６と同軸にはギヤ６５が設けられており、当該ギヤ６５にモーター６４のギヤが噛み合っている。
【００１９】
このような移動機構６２では、図４（Ｂ）に示すように、先ずモーター６４を正回転させる。これにより、弾性部材６３が巻取り軸６６に巻き取られ、毛ブラシ７が負圧延長部５の内部の塵埃取り除き機構６まで引き込まれる。そして、引き込み動作後、毛ブラシ７の先端と後端とが突起６１に確実に接触する範囲で繰り返し摺動されるように、モーター６４の回転方向が繰り返し切り替えられる。これにより、毛ブラシ７に付着していた塵埃が突起６１に有効に付着する。そして、最後にモーター６４が逆回転に駆動されると、弾性部材６３の剛性によって巻き取られた状態から外部へ向かって突出される。このような移動機構６２の動作によれば、毛ブラシ７に付着した塵埃を有効に取り除くことができる。
【００２０】
このように、本実施の形態２の電気掃除機によれば、毛ブラシ７を用いた狭い部分の掃除とファンモーター２での吸引による掃除とを、使用者が毛ブラシ７を着脱する動作又は別体の毛ブラシ７に持ち替える動作を行うことなく実施することができるので、使い勝手がよくなる。
【００２１】
なお、移動機構６２の構成は、毛ブラシ７を負圧延長部５に引き込み、塵埃取り除き機構６において再生させ、そして負圧延長部５から引き出せるのであれば、上記構成に限定されない。図５は移動機構の他の構成例を示す図である。図５に示す移動機構６２は剛性を有する支持軸７１を備え、支持軸７１の先端には毛ブラシ７が連結されている。支持軸７１は、支持部７２によって負圧延長部５の管路の延在方向に沿って移動可能に支持されている。支持軸７１の後端側にはギヤ７３が構成され、ギヤ７４を介してモーター７５と噛み合わされる。このような構成によれば、モーター７５が正回転及び逆回転することにより毛ブラシ７の引き込み及び引き出しを行うことができる。
【００２２】
また、図５に示す移動機構６２では、モーター７５の回転軸の向きと支持軸７１の移動方向とが垂直になるように構成されているが、ウォームギヤを用いてモーター７５の回転軸の向きと支持軸７１の移動方向とが平行になるように構成してもよい。図６はウォームギヤを用いた移動機構の構成例を示す図である。尚、図６に示す移動機構６２において図５に示す構成と同一の構成については同一の符号を付している。図６に示す移動機構６２では、モーター７５の回転軸が支持軸７１の移動方向と平行になるように当該モーター７５が配置されるとともに、モーター７５と支持軸７１とが、ウォームギヤ７６，７７を介して噛み合わされる。このような構成においても、モーター７５が正回転及び逆回転することにより毛ブラシ７の引き込み及び引き出しを行うことができる。
【００２３】
また、上述した実施の形態２の電気掃除機において、毛ブラシ７の塵埃を取り除く再生動作時と、通常の負圧による床面掃除動作時とでは、ファンモーター２の出力を変えてもよい。また、主たる掃除作業を毛ブラシ７で行い、負圧延長部５の先端開口部からの吸引を用いた掃除を行わない形態としてもよい。これにより、毛ブラシ７の再生動作では、ファンモーター２の出力を低下させることができるので低騒音による掃除が可能となる。一般的に、通常の負圧による床面掃除動作に必要なファンモーター２の出力は大きく、これに伴う騒音も大きなものとなる。このため、この機能は、特に夜間又は同居人が寝ている際の掃除をする際に有効である。
【００２４】
実施の形態３．
次に、本発明の実施の形態３について説明する。上述した実施の形態２の電気掃除機では、毛ブラシ７を塵埃取り除き機構６まで引き込んだ後に、当該毛ブラシ７を負圧延長部５の軸方向に摺動させることとした。本実施の形態３の電気掃除機では、毛ブラシ７を軸方向に回転させる回転機構を備える点に特徴を有している。
【００２５】
図７は、本実施の形態３の電気掃除機の回転機構の構成を説明するための図である。図７に示す回転機構８０は、毛ブラシ７が連結された支持軸７１の後端にギヤ８１が設けられている。モーター７５は、その回転軸が支持軸７１と平行になるように配置され、ギヤ８２を介してギヤ８１と噛み合わされている。また、支持軸７１には螺旋状の溝８３が設けられ、支持部７２にはこの溝８３に噛み合う凸部が形成されている。
【００２６】
このような構成によれば、モーター７５の駆動によって支持軸７１が回転されるとともに、溝８３の案内によって支持軸７１が軸方向に移動される。これにより、毛ブラシ７を塵埃取り除き機構６まで引き込んだ上で回転させることができるので、上記摺動動作と同様に、毛ブラシ７に付着していた塵埃を有効に取り除く効果を奏することができる。
【００２７】
なお、本実施の形態３の電気掃除機では、塵埃取り除き機構６の突起６１が以下のように構成されていてもよい。図８は、本実施の形態３の塵埃取り除き機構の構成を示す図である。この図に示す塵埃取り除き機構６は、突起６１が毛ブラシ７の回転方向に傾斜している。このような構成によれば、回転機構８０の必要トルクが過剰になる事態を回避することができる。
【００２８】
また、上述した実施の形態３の電気掃除機では、回転機構８０によって毛ブラシ７の移動及び回転を行うこととしている。しかしながら、回転機構８０の構成はこれに限定されず、他の公知な技術を用いて毛ブラシを回転させることとしてもよい。また、上述した回転機構８０では、溝８３によって軸方向の移動も可能に構成されているが、溝８３を備えずに回転のみを可能とする構成でもよい。このような場合には、例えば、上述した移動機構６２と組み合わせた機構とすることにより、毛ブラシ７の軸方向の移動と回転とを実現することができる。
【００２９】
実施の形態４．
次に、本発明の実施の形態４について説明する。図９は、本実施の形態４の塵埃取り除き機構の構成を示す図であり、（Ａ）は塵埃取り除き機構を含む広域図を、（Ｂ）は塵埃取り除き機構の拡大図をそれぞれ示している。本実施の形態４の電気掃除機では、塵埃取り除き機構６の構成に特徴を有している。すなわち、本実施の形態４の電気掃除機は、負圧延長部５が負圧延長パイプ５１と吸込口体としての負圧延長ヘッド５２とから構成されている。また、塵埃取り除き機構６は、複数の突起６１と、移動機構９１と、毛ブラシガイド９２と、開閉機構９３とから構成されている。移動機構９１は、上述した実施の形態２の移動機構６２と同様の構成を有するものであって、毛ブラシ７の塵埃取り除き機構６に対する相対位置を変化させるためのものである。但し、本実施の形態４の移動機構９１は、負圧延長パイプ５１の外部に沿って延在する弾性部材６３に連結され、毛ブラシ７を負圧延長ヘッド５２の内部又は上部を経由して外部へ突出させることが可能に構成されている。毛ブラシガイド９２は、負圧延長パイプ５１に沿って弾性部材６３及び移動機構６２を覆うように、負圧延長パイプ５１の外壁側の一部に取り付けられたカバーである。本実施の形態の塵埃取り除き機構６の突起６１は、この毛ブラシガイド９２の内部に設けられている。開閉機構９３は、毛ブラシガイド９２の内部から負圧延長パイプ５１の内部へと連通する開口を開閉するためのものであり、例えばスライド式シャッターを用いることができる。当該開口が開閉機構９３によって開かれると、毛ブラシガイド９２の内部にも掃除機本体１の負圧が生じる。このため、開閉機構９３は、ファンモーター２による負圧を用いた清掃作業を行う際には、負圧延長ヘッド５２内の負圧が低下しないように開口を閉鎖する。
【００３０】
このような構成によれば、負圧延長ヘッド５２の外部に突出している毛ブラシ７には、使用者の掃除作業によって塵埃が付着する。ここで、移動機構９１が駆動されると、毛ブラシ７は負圧延長ヘッド５２の外部から毛ブラシガイド９２の内部へと移動される。ここで、上述した摺動操作が行われるとともに、開閉機構９３によって毛ブラシガイド９２内と負圧延長パイプ５１内が連通される。このとき、ファンモーター２を駆動することにより、毛ブラシ７に付着していた塵埃を負圧延長パイプ５１内に吸引することができる。
【００３１】
以上説明したように、本実施の形態４の構成によれば、通常は負圧延長ヘッド５２を用いて掃除作業を行うとともに、負圧延長ヘッド５２が入りにくい狭い場所や毛ブラシ７による擦り清掃が望ましい状況の場合には、毛ブラシ７が負圧延長ヘッド５２の前方へと延伸して掃除作業を便利に行うことができる。また、毛ブラシ７を手に持ち替えての作業や、アタッチメントの交換などの煩わしさを避けることができる。また、本実施の形態４の構成によれば、通常の負圧延長ヘッド５２からの清掃作業を行う場合に毛ブラシ７を毛ブラシガイド９２の内部に収納しておくこともできるので、使い勝手が向上する。
【００３２】
また、本実施の形態４の電気掃除機によれば、塵埃取り除き機構６が負圧延長パイプ５１の外部に設けられるので、負圧延長パイプ５１内の風路を塞いで圧力損失が大きくなることを有効に抑制することができる。このように、本実施の形態の電気掃除機によれば、毛ブラシ７による清掃作業とファンモーター２による負圧を用いた清掃作業とを両立して、使い勝手のよい電気掃除機を提供することができる。
【００３３】
ところで、移動機構９１の構成は、毛ブラシ７を毛ブラシガイド９２に引き込み、塵埃取り除き機構６において再生させ、そして負圧延長ヘッド５２から外部へ突出させることが可能な機構であれば、上記構成に限定されない。また、実施の形態３において説明した回転機構８０をさらに備える構成としてもよい。
【００３４】
実施の形態５．
図１０は、この発明の実施の形態５における電気掃除機の構成例である。本実施の形態５の電気掃除機では、掃除機本体１は車輪１１を設けて床面に配置され、負圧延長ホース５３を介して接続された持ち手４に、本体操作スイッチ１０が設けられている。また、負圧延長ヘッド５２には、いわゆる回転ブラシとしての負圧延長部内蔵毛ブラシ９が内蔵されている。塵埃取り除き機構６は、例えば上述した実施の形態４のものを備えているものとする。
【００３５】
本実施の形態５の電気掃除機では、毛ブラシ７の再生動作を塵埃取り除き機構６だけでなく負圧延長部内蔵毛ブラシ９でも行うことができる点に特徴を有している。より詳しくは、例えば、毛ブラシ７による清掃作業は、負圧延長ヘッド５２から毛ブラシ７を外部へ突出した状態で行われる。そして、本体操作スイッチ１０の「毛ブラシ再生モード」が押下されると、毛ブラシ７が負圧延長部内蔵毛ブラシ９の近傍まで引き込まれるとともに、負圧延長部内蔵毛ブラシ９が回転される。これにより、通常の清掃作業時は負圧延長ヘッド５２内部の負圧延長部内蔵毛ブラシ９を用いて床面掃除を効率よく実施できるとともに、手元の本体操作スイッチ１０の操作によって、負圧延長部内蔵毛ブラシ９を用いた毛ブラシ７の再生動作も行うことができる。
【００３６】
実施の形態６．
図１１は、この発明の実施の形態６における掃除システムの構成例である。掃除機本体１を収納するケース１０１を備えている。ケース１０１は、掃除機本体１を収納した状態において、本体操作スイッチ１０がケース１０１の上面に、負圧延長ホース５３の本体から遠い側の開口部がケース１０１の前面になるように構成されている。また、ケース１０１の前面には負圧延長ホース５３の開口部と勘合して外部に連通するケース開口部１０２が設けられている。また、ケース１０１の上面には本体操作スイッチ１０を操作するための開口部１０３が設けられている。なお、本実施の形態６の電気掃除機は、上述した塵埃取り除き機構６が負圧延長ホース５３に設けられている。
【００３７】
このような構成によれば、掃除機本体１をケース１０１に収納した状態においても、掃除機本体１から脱着した毛ブラシ７を、負圧延長部としての負圧延長ホース５３に挿入し、本体操作スイッチ１０を操作することにより、毛ブラシ７に付着していた塵埃を掃除機本体１に移動せしめることができる。また、図に示すように、ケース１０１は直方体の６面全てが塞がれて本体収納時に掃除機本体１を視認できない構成とされるので、ケース１０１をリビングなどの居住空間に置いていても、掃除機本体１が目視上で存在感をなくすことができ生活質感を向上させることができる。また、毛ブラシ７での掃除をした後において、即座に毛ブラシ７に付着した塵埃を取り除くことができるため、毛ブラシ７での掃除がし易くなる。
【００３８】
なお、上述した実施の形態５の電気掃除機では、掃除機本体１にバッテリーを設けてコードレス掃除機として用い、ケース１０１に電源ケーブルとバッテリーへの充電機構を設けてもよい。すなわち、ケース１０１が、充電ステーションとしての機能と、掃除機本体１とアタッチメントを収納して隠す機能と、毛ブラシ７に付着した塵埃を取り除く機能とを兼ね備えることによって、さらに使い勝手を良くすることができる。
【符号の説明】
【００３９】
１  掃除機本体、２  ファンモーター、３  塵埃分離蓄積部、４  持ち手、５  負圧延長部、６  塵埃取り除き機構、７  毛ブラシ、９  負圧延長部内蔵毛ブラシ、１０  本体操作スイッチ、１１  車輪、５１  負圧延長パイプ、５２  負圧延長ヘッド、５３  負圧延長ホース、６１  突起（リブ）、６２  移動機構、６３  弾性部材、６４  モーター、６５  ギヤ、６６  巻取り軸、７１  支持軸、７２  支持部、７３，７４  ギヤ、７６，７７  ウォームギヤ、８０  回転機構、８１，８２  ギヤ、８３  溝、９１  移動機構、９２  毛ブラシガイド、９３  開閉機構  １０１  ケース、１０２  ケース開口部、１０３  開口部
【図１】
2015150011.tif 000003
【図２】
2015150011.tif 000004
【図３】
2015150011.tif 000005
【図４】
2015150011.tif 000006
【図５】
2015150011.tif 000007
【図６】
2015150011.tif 000008
【図７】
2015150011.tif 000009
【図８】
2015150011.tif 000010
【図９】
2015150011.tif 000011
【図１０】
2015150011.tif 000012
【図１１】
2015150011.tif 000013